(57)【特許請求の範囲】
【請求項１】
水田に水稲種子を播種し、上記播種された水稲種子の上に対し、天然繊維素材でもって、水稲種子の芽生えは貫通させるが、双子葉植物に属する雑草種子の子葉や単子葉植物に属する雑草種子の芽生えの貫通は阻止するように20g/ｍ２以上の厚みに形成された不織布を被せ付け、上記水稲種子の芽生えが上記不織布を貫通して生長した後は、上記不織布を分解させて上記水田の土壌有機物となるようにした水稲の育成方法。
【請求項２】
水田に播種された水稲種子に被せられた不織布には界面活性剤が散布されていることを特徴とする請求項１の水稲の育成方法。
【発明の詳細な説明】
【０００１】
【発明の属する技術分野】
本発明は、水田に水稲種子を播種し、上記播種された水稲種子の上に対し、シートを被せ付けて、上記水稲種子を育成するようにした水稲の育成方法に関する。
【０００２】
【従来の技術】
一般に広く知られている水稲の育成方法としては、育苗箱で育苗した水稲苗を田植機に搭載し、本田に移植するのであるが、これにかかわる種々の作業は重労働で、その改善が望まれている。
そこで本田（水田）に対して水稲種子を直接的に播種（直播き）することによって、省力化を図りながら水稲の育生を行なう方法が採用されている。
【０００３】
【発明が解決しようとする課題】
この従来の直播きによる水稲の育成方法では、水稲の配置がランダムあるいはすじ状で、人手による除草が困難になる為、必然的に除草剤を用いることになり、環境破壊の見地から、その除草剤を要する育成方法の中止が望まれている。
さらに上記の問題点を解決する為に水稲種子を出芽孔を有する紙面に貼りつけて、その紙製シートを水田面に拡げて、雑草種子の芽生えを阻止するようにすることが考えられる。
しかし、水稲種子の発芽孔より雑草種子も出芽するので除草効果を減している。この為シートにおいて、水稲種子の存在する直上に芽生え用の小孔をあける必要が生じる。しかしこれは多大の労力と経費を要するという問題点があった。
【０００４】
本件出願の水稲の育成方法は、上記従来技術の問題点を解決する為に提供するものである。
本件出願の目的は、育苗箱で育苗した水田苗を、田植機で本田に田植する等の手間なしに、直接、水稲種子を本田に散布して水稲を育生することのできる水稲の育成方法を提供しようとするものである。
他の目的は、水田に水稲種子がランダムあるいはすじ状に播種され、その播種状態で芽生え、育成される過程においても、雑草種子の芽生えが布上面に出ることが実質的になく、機械による除草の必要性も、また除草剤の必要性もない水稲の育成方法を提供しようとするものである。
他の目的は、 雑草種子の芽生えに基づく雑草の育生を阻止する為にシートを用いるものであっても、単に、最初にシートを水田上に被せ付けるだけで、その後の困難を伴う芽生え用の孔あけ作業を要することなく、水稲種子の芽生え、育生をすることのできる水稲の育成方法を提供しようとするものである。
他の目的は、水田にシートを被せる場合、水田面に水の層があっても、シートは短時間で沈降し、播種された水田の上に対してシートがソフトにタッチできるようにした水稲の育成方法を提供しようとするものである。
他の目的及び利点は図面及びそれに関連した以下の説明により容易に明らかになるであろう。
【０００５】
【課題を解決するための手段】
本願発明における水稲の育成方法は、水田に水稲種子を播種し、上記播種された水稲種子の上に対し、天然繊維素材でもって、水稲種子の芽生えは貫通させるが、双子葉植物に属する雑草種子の子葉や単子葉植物に属する雑草種子の芽生えの貫通は阻止するように20g/ｍ２以上の厚みに形成された不織布を被せ付け、上記水稲種子の芽生えが上記不織布を貫通して生長した後は、上記不織布を分解させて上記水田の土壌有機物となるようにしたものである。
【０００６】
【発明の実施の形態】
以下本願発明の実施の形態を示す図面について説明する。図１および図２において、１は周知の耕地された水田（本田）の存在を示し、２は水田の上面に存在させる水を示す。５は水田の上面に播種された水稲種子の存在を示し、適当量の水稲種子が播種（直播き）される。この播種の状態は、従来と同様の手法により水田表面に、又は少し沈降する状態に水稲種子を存置させる。
6は通常自然界に存在する単子葉植物に属する雑草種子、6aはそれの芽生え、7は単子葉植物に属する雑草種子、7aはそれの芽生えを示す。
上記水稲種子5、双子葉植物に属する雑草種子6、単子葉植物に属する雑草種子7等の種子は、周知の様に水田1において灌水2されると催芽され、芽生える性質を備える。
【０００７】
次に不織布10は、天然繊維素材11、例えば、木綿、羊毛（ウール）又は天然光を受けることにより２〜３か月で分解して自然に同化する易分解性の合成繊維等が選択利用されたものである。これらの1又は複数種の繊維から成る不織布10は、一般に織布、編布の切れ端等の産業廃棄物を小片に切断加工したり、完全な繊維状に分解、分離させたもの、或いは紡績工程で発生する落綿を用い、これらの繊維くず11を絡ませ、圧縮してシート状の不織布を形成する。また必要によっては繊維くずに少量の接着剤を用いて繊維相互を接合させる。
【０００８】
このような不織布の厚みは、天然繊維素材でもって、水稲種子の芽生えは貫通させるが、双子葉植物に属する雑草種子の子葉や単子葉植物に属する雑草種子の芽生えの貫通は阻止する程度の厚みに形成する。例えば40g/ｍ２となる厚みにする。厚みを20g/ｍ２に構成してもよいが、それ以下になると破損し易くなり、取扱に困ることになる。また80g/ｍ２となる厚みにしても良いが、それ以上になると取扱時に重くなり、婦女子では取扱に困る。不織布のシートの幅は取扱上50cm〜2m位がよい。1〜2m幅になると図1のように芯棒13に巻付けたロール状のシート12に形成し、台車にて芯棒13を支え、台車の移行により、シート10が水田の水稲種子上に被さっていくようにするとよい。
【０００９】
上記構成のものにあっては、通常知られているように、水田にすべき土地の荒起しを行い、田面を均平にした後に播種するか、あるいは田への水の導入、表面の代掻き等の作業を施して水田表面を平坦化したる後、適量、例えば10アール当り3〜10kgの水稲種子を略均等に播種する。上記水稲種子の播種の過程において順次、又は播種を終えた後において、上記水稲種子5の上に不織布10を被せる（マルチングする）。その手段は手作業でシート10を被せても良いし、芯棒13を移動車にて支え、移動に伴ってロール12を逐次巻き戻し、水田面に不織布10が展開するようにしてもよい。
この被せ付け作業において、不織布10が水中に沈降するとよいのであるが、沈降し難い場合は、僅かな量の界面活性剤（例えば1アール当り、100ミリリットルの液を1000倍液にした液体）15を図1の如く適当な間隙を隔てて各条状に、或いは水滴状に滴下させて全面に拡散させると、不織布10からは撥水性が消え、静かに沈降し、水田１の表面に接して定着する。散布方法は、移動車に乗載した界面活性剤の液槽からチューブ17を介して散布ノズル（多孔パイプ16の各孔）に液体を送り、シート10の上に滴下させたり、噴霧器を用いて散布したりするとよい。
【００１０】
次に5日〜7日も経過すると、水稲種子5は出芽し、不織布を貫通して芽生え5aになる。そして太陽光を浴びて生長する。一方双子葉植物に属する雑草種子の芽生え6a（例えばコナギ、ウリカワなど）は不織布10の下で展開するので、不織布10を貫通することができない。また単子葉植物に属する雑草種子の芽生え7aは（例えばイヌビエなど）、単子葉雑草の種子7が一般的に小粒で芽生えの生長力が水稲種子5よりも劣るため、布10を貫通することができず、共に、マルチされた不織布10の下において枯死する。仮に経日後に不織布の上に雑草が芽生えたとしても、水稲種子の苗は、太陽光を浴びてすくすくと育ち30〜40日もすれば自身の苗葉で水面に葉陰を作るので、雑草の生育は不良となる。
やがて30〜50日もすると水稲はすっかり成長する。またこれと並行して不織布10は自然に分離、分解して自然に戻る形をとり、最終的に土壌有機物となって地力の維持に貢献する。
【００１１】
【発明の効果】
以上のように本願発明は、水田1に対し、水稲種子5を直接播種して育生するものであるから、従来のような苗床作りや、田植等の手数を不用とする省力効果がある。
【００１２】
しかも、水稲種子5の芽生え5aから、水稲苗が育生する過程においては、雑草種子（６，７）の芽生え6a、7aは枯死し、成長しないので、従来方法のような除草作業又は除草剤の播種を不用とし、省力或は除草剤による環境悪化の問題点を除く上に効果がある。
【００１３】
【図面の簡単な説明】
【図１】  水田上に不織布を敷設する状態を示す斜視図。
【図２】  水田と、種子と、不織布の関係を示す断面略図。
【符号の説明】
１  水田
２  水
５  水稲種子
６  双子葉植物に属する雑草種子
７  単子葉植物に属する雑草種子
１０  不織布
１１  繊維
１２  ロール状シート
１３  芯棒
１５  界面活性剤
１６  散布ノズル
１７  液体供給用チュ−ブ
【図１】
0004256528.tif 000002
【図２】
0004256528.tif 000003